(57)【要約】【課題】作業者の熟練を要することなく、内装壁の壁下地に壁紙を取り付けることができる壁紙取付構造、壁紙取付方法及び壁紙取替方法を提供する。【解決手段】  内装壁１の壁下地（石膏ボード２）に壁紙を取り付けた壁紙取付構造である。この壁紙取付構造は、壁下地（石膏ボード２）に取り付けられた雄型面ファスナ１０を備えている。壁紙は、不織布５である。壁紙としての不織布５は、壁下地（石膏ボード２）に取り付けられた雄型面ファスナ１０に取り付けられている。【選択図】図２
2020051036.tif 000002
【特許請求の範囲】
【請求項１】
内装壁の壁下地に壁紙を取り付けた壁紙取付構造であって、
前記壁下地に取り付けられた雄型面ファスナを備え、
前記壁紙は、不織布であり、
前記不織布は、前記雄型面ファスナに取り付けられる
ことを特徴とする、壁紙取付構造。
【請求項２】
前記雄型面ファスナは、１００ｍｍ以上の幅を有する
ことを特徴とする、請求項１に記載の壁紙取付構造。
【請求項３】
前記雄型面ファスナは、気密性を有し、前記壁下地の継ぎ目を覆うように設けられる
ことを特徴とする、請求項１又は２に記載の壁紙取付構造。
【請求項４】
前記不織布は、２００ｇ／ｍ２以上の目付である
ことを特徴とする、請求項１〜３の何れか一項に記載の壁紙取付構造。
【請求項５】
前記不織布は、１００ｇ／ｍ２以上の目付であり、熱処理が施されている
ことを特徴とする、請求項１〜３の何れか一項に記載の壁紙取付構造。
【請求項６】
内装壁の壁下地に壁紙を取り付ける壁紙取付方法であって、
前記壁下地に雄型面ファスナを取り付ける雄型面ファスナ取付工程と、
前記雄型面ファスナに前記壁紙である不織布を押し付けて取り付ける不織布取付工程と、を含む
ことを特徴とする、壁紙取付方法。
【請求項７】
内装壁の壁下地に取り付けられた壁紙を取り替える壁紙取替方法であって、
請求項６に記載の壁紙取付方法で取り付けられた前記不織布を手前に引っ張って前記雄型面ファスナから取り外す不織布取外工程と、
前記雄型面ファスナに新設の前記不織布を押し付けて取り付ける新設不織布取付工程と、を含むことを特徴とする、請求項６に記載の壁紙取替方法。
【発明の詳細な説明】
【技術分野】
【０００１】
本発明は、内装壁の壁下地に壁紙を取り付けた壁紙取付構造、壁紙取付方法及び壁紙取替方法に関するものである。
【背景技術】
【０００２】
従来、壁紙を接着剤によって壁下地に貼り付けた壁紙取付構造が知られている（例えば、特許文献１，特許文献２参照）。
【０００３】
特許文献１には、石膏ボードに繊維シートが貼り付けられた内装下地材に、接着剤を塗布し、この接着剤が塗布された内装下地材に壁紙を貼り付ける構成が開示されている。
【０００４】
特許文献２には、糊を塗布した壁面に、壁紙としての不織布を貼る構成が開示されている。
【先行技術文献】
【特許文献】
【０００５】
【特許文献１】特開平８−１６５７４３号公報
【特許文献２】特開２００６−３７２６１号公報
【発明の概要】
【発明が解決しようとする課題】
【０００６】
しかしながら、特許文献１及び特許文献２は、壁紙を接着剤によって壁下地に貼り付けるため、作業者の熟練を要する、という問題がある。
【０００７】
そこで、本発明は、作業者の熟練を要することなく、内装壁の壁下地に壁紙を取り付けることができる壁紙取付構造、壁紙取付方法及び壁紙取替方法を提供することを目的とする。
【課題を解決するための手段】
【０００８】
前記目的を達成するために、本発明の壁紙取付構造は、内装壁の壁下地に壁紙を取り付けた壁紙取付構造であって、前記壁下地に取り付けられた雄型面ファスナを備え、前記壁紙は、不織布であり、前記不織布は、前記雄型面ファスナに取り付けられることを特徴とする。
【０００９】
ここで、本発明の壁紙取付構造では、前記雄型面ファスナは、１００ｍｍ以上の幅を有してもよい。
【００１０】
また、本発明の壁紙取付構造では、前記雄型面ファスナは、気密性を有し、前記壁下地の継ぎ目を覆うように設けられてもよい。
【００１１】
また、本発明の壁紙取付構造では、前記不織布は、２００ｇ／ｍ２以上の目付であってもよい。
【００１２】
また、本発明の壁紙取付構造では、前記不織布は、１００ｇ／ｍ２以上の目付であり、熱処理が施されていてもよい。
【００１３】
また、本発明の壁紙取付方法は、内装壁の壁下地に壁紙を取り付ける壁紙取付方法であって、前記壁下地に雄型面ファスナを取り付ける雄型面ファスナ取付工程と、前記雄型面ファスナに前記壁紙である不織布を押し付けて取り付ける不織布取付工程と、を含んでもよい。
【００１４】
されに、本発明の壁紙取替方法は、上記の壁紙取付方法で取り付けられた前記不織布を手前に引っ張って前記雄型面ファスナから取り外す不織布取外工程と、前記雄型面ファスナに新設の前記不織布を押し付けて取り付ける新設不織布取付工程と、を含んでもよい。
【発明の効果】
【００１５】
このように構成された本発明の壁紙取付構造では、内装壁の壁下地に壁紙を取り付けた壁紙取付構造であって、壁下地に取り付けられた雄型面ファスナを備え、壁紙は、不織布であり、不織布は、雄型面ファスナに取り付けられる。そのため、不織布を雄型面ファスナに押し付けることで、不織布を雄型面ファスナに取り付けることができる。また、不織布を手前に引っ張ることで、不織布を雄型面ファスナから取り外すことができる。その結果、作業者の熟練を要することなく、内装壁の壁下地に壁紙としての不織布を取り付けることができる。
【００１６】
また、本発明の壁紙取付構造では、雄型面ファスナは、１００ｍｍ以上の幅を有することで、雄型面ファスナを壁下地に取り付けることにより形成される段差の間隔を広げることができ、雄型面ファスナと壁下地との間の段差を目立ち難くすることができる。
【００１７】
また、本発明の壁紙取付構造では、雄型面ファスナは、気密性を有し、壁下地の継ぎ目を覆うように設けられることで、壁下地の継ぎ目から、空気が漏れることを防止することができ、室内空間の気密性を向上させることができる。
【００１８】
また、本発明の壁紙取付構造では、不織布は、２００ｇ／ｍ２以上の目付であることで、壁下地と壁下地を固定する固定釘との間の段差や、壁下地と壁下地に固定する雄型面ファスナとの間の段差等を目立たなくすることができる。
【００１９】
また、本発明の壁紙取付構造では、不織布は、１００ｇ／ｍ２以上の目付であり、熱処理が施されていることで、不織布の繊維同士を互いに融着し、不織布の繊維間の隙間を小さくすることができる。そのため、壁下地と壁下地を固定する固定釘との間の段差や、壁下地と壁下地に固定する雄型面ファスナとの間の段差等を目立たなくすることができる。
【００２０】
また、本発明の壁紙取付方法は、内装壁の壁下地に壁紙を取り付ける壁紙取付方法であって、壁下地に雄型面ファスナを取り付ける雄型面ファスナ取付工程と、雄型面ファスナに壁紙である不織布を押し付けて取り付ける不織布取付工程と、を含む。そのため、不織布を雄型面ファスナに押し付けることで、不織布を雄型面ファスナに取り付けることができ、作業者の熟練を要することなく、不織布を容易に取り付けることができる。
【００２１】
さらに、本発明の壁紙取替方法は、上記の壁紙取付方法で取り付けられた不織布を手前に引っ張って雄型面ファスナから取り外す不織布取外工程と、雄型面ファスナに新設の不織布を押し付けて取り付ける新設不織布取付工程と、を含む。そのため、不織布を手前に引っ張ることで、既設の不織布を雄型面ファスナから取り外すことができる。また、新設の不織布を雄型面ファスナに押し付けることで、不織布を雄型面ファスナに取り付けることができる。そのため、作業者の熟練を要することなく、不織布を容易に取り替えることができる。
【図面の簡単な説明】
【００２２】
【図１】実施例１の内装壁の構成を示す斜視図である。
【図２】実施例１の内装壁の断面を示す断面図である。
【図３】実施例１の雄型面ファスナ取付工程を説明する説明図である。
【図４】実施例１の不織布取付工程を説明する説明図である。
【図５】実施例１の不織布取外工程を説明する説明図である。
【図６】別の実施例の内装壁の構成を示す斜視図である。
【発明を実施するための形態】
【００２３】
以下、本開示による壁紙取付構造、壁紙取付方法及び壁紙取替方法を実現する実施形態を、図面に示す実施例１に基づいて説明する。
【実施例１】
【００２４】
実施例１における壁紙取付構造、壁紙取付方法及び壁紙取替方法は、ユニット建物の内装壁に適用される。
【００２５】
［内装壁の構成］
図１は、実施例１の内装壁の構成を示す斜視図である。図２は、実施例１の内装壁の断面を示す断面図である。以下、図１及び図２に基づいて、実施例１の内装壁の構成を説明する。
【００２６】
内装壁１は、図１及び図２に示すように、間柱３と、間柱３に取り付けられた壁下地としての石膏ボード２と、石膏ボード２に取り付けられた雄型面ファスナ１０と、雄型面ファスナ１０に取り付けられた壁紙としての不織布５と、を備える。
【００２７】
間柱３は、角材又は溝型鋼からなり、内装壁１の壁面に沿って複数設けられる。石膏ボード２は、矩形の板状であり、複数枚が並べて配置される。石膏ボード２は、並べて配置されると、石膏ボード２間に継ぎ目Ｔが形成される。各石膏ボード２は、継ぎ合わされた状態で、間柱３に固定釘Ｓにより取り付けられる。石膏ボード２が継ぎ合わされて形成された継ぎ目Ｔには、Ｖ溝状の目地溝１５が形成される。
【００２８】
Ｖ溝状の目地溝１５には、目地溝１５を埋める目地溝埋め材１６が取り付けられてもよい。目地溝埋め材１６は、ＳＰＦや米栂などの木材や、ＡＢＳなどの硬質樹脂や、ＥＰＤＭなど軟質樹脂などで、断面三角形に形成される。なお、目地溝埋め材１６は、軟質樹脂の場合、断面円形であってもよい。
【００２９】
雄型面ファスナ１０は、気密性を有し、帯板状に形成される。雄型面ファスナ１０は、図２に示すように、幅Ｗ（例えば、１００［ｍｍ］）を有する。なお、雄型面ファスナ１０は、１００［ｍｍ］以上の幅を有してもよい。雄型面ファスナ１０の表面には、フック状又はキノコ状の係合素子を複数有する。雄型面ファスナ１０の裏面には、両面テープ１１が貼り付けられる。
【００３０】
雄型面ファスナ１０は、両面テープ１１によって、目地溝１５を覆うように石膏ボード２に貼り付けられる。なお、雄型面ファスナ１０は、目地溝１５のない部分に貼り付けられてもよい。例えば、雄型面ファスナ１０は、石膏ボード２の外周縁に貼り付けられてもよい。また、雄型面ファスナ１０は、不織布５のサイズに応じて、石膏ボード２に取り付けられてもよい。
【００３１】
不織布５は、例えば、１００［ｇ／ｍ２］の目付である。不織布５には、熱処理が施され、不織布５の繊維同士を互いに融着する。なお、不織布５は、１００［ｇ／ｍ２］以上の目付であってもよい。特に、不織布５が２００［ｇ／ｍ２］以上の目付である場合、不織布５の浮きやたるみを抑止することができる。
【００３２】
雄型面ファスナ１０のフック状又はキノコ状の係合素子が、不織布５の繊維に絡まることで、不織布５が雄型面ファスナ１０に取り付けられる。
【００３３】
なお、内装壁１の上端に廻り縁を設け、内装壁１の下端に巾木を設けて、気密処理をしてよい。
【００３４】
［壁紙取付方法］
図３は、実施例１の雄型面ファスナ取付工程を説明する説明図である。図４は、実施例１の不織布取付工程を説明する説明図である。図５は、実施例１の不織布取外工程を説明する説明図である。以下、図３〜図５に基づいて、実施例１の壁紙取付方法を説明する。
【００３５】
（雄型面ファスナ取付工程）
雄型面ファスナ取付工程では、図３に示すように、間柱３に取り付けられた石膏ボード２の目地溝１５を覆うように、両面テープ１１によって、雄型面ファスナ１０を石膏ボード２に取り付ける。なお、雄型面ファスナ取付工程では、目地溝１５に目地溝埋め材１６を予め取り付けてもよい。また、雄型面ファスナ１０に貼り付けられた両面テープ１１に目地溝埋め材１６を予め貼り付けておいてもよい。
【００３６】
（不織布取付工程）
不織布取付工程では、図４に示すように、石膏ボード２に取り付けられた雄型面ファスナ１０に、不織布５を押し付ける。雄型面ファスナ１０に押し付けられた不織布５の繊維は、雄型面ファスナ１０のフック状又はキノコ状の係合素子に絡まる。これにより、不織布５は、雄型面ファスナ１０に取り付けられる。
【００３７】
雄型面ファスナ取付工程と不織布取付工程とを経て、内装壁１の石膏ボード２に、壁紙としての不織布５を取り付けることができる。
【００３８】
（不織布取外工程）
不織布取外工程では、図５に示すように、不織布取付工程で取り付けた不織布５が古くなったり汚れてしまったりした際に、雄型面ファスナ１０に取り付けられた不織布５を手前側（室内側）に引っ張ることで、不織布５を雄型面ファスナ１０から取り外す。
【００３９】
雄型面ファスナ取付工程と不織布取付工程とを経て石膏ボード２に取り付けられた不織布５を、この不織布取外工程で取り外すことができる。そして、不織布取付工程を経ることで、新設の不織布５を取り付けることができる。この場合、不織布取付工程は、新設不織布取付工程を構成する。
【００４０】
次に、実施例１の壁紙取付構造、壁紙取付方法及び壁紙取替方法の作用効果を説明する。実施例１の壁紙取付構造は、内装壁１の壁下地（石膏ボード２）に壁紙を取り付けた壁紙取付構造である。この壁紙取付構造は、壁下地（石膏ボード２）に取り付けられた雄型面ファスナ１０を備え、壁紙は、不織布５であり、不織布５は、雄型面ファスナ１０に取り付けられる（図２）。
【００４１】
これにより、不織布５を雄型面ファスナ１０に押し付けることで、不織布５を雄型面ファスナ１０に取り付けることができる。また、不織布５を手前に引っ張ることで、不織布５を雄型面ファスナ１０から取り外すことができる。そのため、作業者の熟練を要することなく、不織布５を容易に着脱することができる。その結果、壁紙（不織布５）の張り替えを容易にすることができる。
【００４２】
また、壁紙の取付に接着剤を使用しないため、接着剤を乾燥させる時間を必要としない。また、壁紙を不織布５とすることで、吸音効果を期待することができる。また、壁紙を不織布５とすることで、壁紙に刺した画鋲等の跡を目立たなくすることができる。
【００４３】
実施例１の壁紙取付構造では、雄型面ファスナ１０は、１００ｍｍ以上の幅を有する。これにより、雄型面ファスナ１０を壁下地（石膏ボード２）に取り付けることにより形成される段差の間隔を広げることができる。そのため、雄型面ファスナ１０と壁下地（石膏ボード２）との間の段差を目立ち難くすることができる。また、雄型面ファスナ１０を幅広にすることができ、壁紙（不織布５）との接合面積を広くすることができる。雄型面ファスナ１０に取り付けた不織布５を保持するのに十分な係止力を期待することができる。
【００４４】
実施例１の壁紙取付構造では、雄型面ファスナ１０は、気密性を有し、壁下地（石膏ボード２）の継ぎ目Ｔを覆うように設けられる（図２）。
【００４５】
これにより、壁下地（石膏ボード２）の継ぎ目Ｔから、空気が漏れることを防止することができる。そのため、室内空間の気密性を向上させることができる。
【００４６】
実施例１の壁紙取付構造では、不織布５は、２００ｇ／ｍ２以上の目付である。これにより、壁下地（石膏ボード２）と、壁下地（石膏ボード２）を固定する固定釘Ｓとの間の段差や、壁下地（石膏ボード２）と、壁下地（石膏ボード２）に固定する雄型面ファスナ１０との間の段差等を目立たなくすることができる。
【００４７】
実施例１の壁紙取付構造では、不織布５は、１００ｇ／ｍ２以上の目付であり、熱処理が施されている。これにより、不織布５の繊維同士を互いに融着し、不織布５の繊維間の隙間を小さくすることができる。そのため、壁下地（石膏ボード２）と、壁下地（石膏ボード２）を固定する固定釘Ｓとの間の段差や、壁下地（石膏ボード２）と、壁下地（石膏ボード２）に固定する雄型面ファスナ１０との間の段差等を目立たなくすることができる。
【００４８】
実施例１の壁紙取付方法は、内装壁１の壁下地（石膏ボード２）に壁紙を取り付ける壁紙取付方法である。この壁紙取付方法は、壁下地（石膏ボード２）に雄型面ファスナ１０を取り付ける雄型面ファスナ取付工程と、雄型面ファスナ１０に壁紙である不織布５を押し付けて取り付ける不織布取付工程と、を含む（図３及び図４）。
【００４９】
これにより、不織布５を雄型面ファスナ１０に押し付けることで、不織布５を雄型面ファスナ１０に取り付けることができる。そのため、作業者の熟練を要することなく、不織布５を容易に取り付けることができる。その結果、壁紙を壁下地に容易に取り付けることができる。また、壁紙の取付に接着剤を使用しないため、接着剤を乾燥させる時間を必要としない。
【００５０】
実施例１の壁紙取替方法は、上記壁紙取付方法で取り付けられた不織布５を手前に引っ張って雄型面ファスナ１０から取り外す不織布取外工程と、雄型面ファスナ１０に新設の不織布５を押し付けて取り付ける新設不織布取付工程と、を含む（図５）。
【００５１】
これにより、不織布５を手前に引っ張ることで、既設の不織布５を雄型面ファスナ１０から取り外すことができる。また、新設の不織布５を雄型面ファスナ１０に押し付けることで、不織布５を雄型面ファスナ１０に取り付けることができる。そのため、作業者の熟練を要することなく、不織布５を容易に取り替えることができる。また、壁紙の取付に接着剤を使用しないため、接着剤を乾燥させる時間を必要としない。
【００５２】
以上、本開示の壁紙取付構造、壁紙取付方法及び壁紙取替方法を実施例１に基づき説明してきた。しかし、具体的な構成については、この実施例に限られるものではなく、特許請求の範囲の各請求項に係る発明の要旨を逸脱しない限り、設計の変更や追加等は許容される。
【００５３】
実施例１では、雄型面ファスナ１０を帯板状とする例を示した。しかし、雄型面ファスナ１０は、この態様に限定されない。
【００５４】
例えば、図６に示すように、雄型面ファスナ１１０は、矩形の板状に形成されてもよい。この場合、雄型面ファスナ１１０は、複数設けられ、石膏ボード２に分散して取り付けられる。これにより、不織布５にたるみを生じさせないようにすることができる。
【００５５】
実施例１では、壁下地を１枚の石膏ボード２とする例を示した。しかし、壁下地としては、２枚以上に重ね合わされた石膏ボードとしてもよい。また、壁下地としては、石膏ボードに限定されない。
【００５６】
また、壁下地としては、既設のクロス等であってもよい。この場合、既設のクロスに、雄型面ファスナを取り付ける。そして、雄型面ファスナに、新設の不織布を取り付ける。これにより、既設の壁紙を剥がさずに、新設の壁紙を取り付けることができる。
【００５７】
実施例１では、本発明の壁紙取付構造、壁紙取付方法及び壁紙取替方法を、ユニット建物の内装壁に適用する例を示した。しかし、本発明は、在来工法の建物の内装壁や、ツーバイフォー工法の建物の内装壁や、コンクリート造の建物の内装壁等に適用することができる。
【符号の説明】
【００５８】
１      内装壁
２      石膏ボード（壁下地）
５      不織布
１０    雄型面ファスナ
【図１】
2020051036.tif 000003
【図２】
2020051036.tif 000004
【図３】
2020051036.tif 000005
【図４】
2020051036.tif 000006
【図５】
2020051036.tif 000007
【図６】
2020051036.tif 000008